(57)【特許請求の範囲】
【請求項１】
電子付箋を表示可能な表示手段と、
前記電子付箋の表示領域に表示される見出し情報と、前記電子付箋が表示される位置を示す付箋表示位置情報と、前記電子付箋に関連付けられたアプリケーションを起動するための情報であるアプリケーション関連付け情報とを含む付箋情報を記憶する記憶手段と、
前記付箋情報を入力する入力手段と、
前記見出し情報と前記付箋表示位置情報に基づいて前記電子付箋を前記表示手段に表示し、また、前記アプリケーション関連付け情報に基づいてアプリケーションを起動及び実行する制御手段とを備え、
前記付箋情報は、１つ以上のアプリケーションに関して、個々のアプリケーションに対応する前記アプリケーション関連付け情報を含み、
前記制御手段は、
表示された前記電子付箋のうち、ユーザが選択した特定の電子付箋に関して前記記憶手段を参照することにより、該特定の電子付箋の表示領域に表示される見出し情報に関連付けられた前記１つ以上のアプリケーションを選択可能に表示するよう前記表示手段を制御すると共に、表示された前記１つ以上のアプリケーションを示す選択肢のうち、ユーザが選択した所望の選択肢に対応する特定アプリケーションに関する前記アプリケーション関連付け情報に基づいて、該特定アプリケーションを起動及び実行する
ことを特徴とする電子付箋システム。
【請求項２】
前記制御手段は、さらに、前記付箋情報に基づいて前記電子付箋を前記表示手段に一覧表示し、一覧表示された前記電子付箋のうち選択された電子付箋に対応する前記付箋表示位置情報に基づいてアプリケーションを実行することを特徴とする請求項１記載の電子付箋システム。
【請求項３】
前記付箋情報は、２件以上の前記アプリケーション関連付け情報を含むことを特徴とする請求項１または２記載の電子付箋システム。
【請求項４】
前記付箋情報は、２件以上の前記付箋表示位置情報を含むことを特徴とする請求項１乃至３のいずれか記載の電子付箋システム。
【請求項５】
前記記憶手段は、さらに、前記アプリケーション関連付け情報を追加して記憶することを特徴とする請求項１乃至４のいずれか記載の電子付箋システム。
【請求項６】
前記電子付箋は、電子メールのテキスト中から選択された文言であることを特徴とする請求項１乃至５のいずれか記載の電子付箋システム。
【請求項７】
請求項１乃至６のいずれか記載の電子付箋システムを備えることを特徴とする情報処理端末。
【請求項８】
情報処理装置によって、
電子付箋の表示領域に表示される見出し情報と、前記電子付箋が表示される位置を示す付箋表示位置情報と、前記電子付箋に関連付けられたアプリケーションを起動するための情報であるアプリケーション関連付け情報とを含む付箋情報を記憶装置に記憶し、
前記見出し情報と前記付箋表示位置情報に基づいて前記電子付箋を表示装置に表示し、
前記アプリケーション関連付け情報に基づいてアプリケーションを起動及び実行するステップを備え、
前記付箋情報は、１つ以上のアプリケーションに関して、個々のアプリケーションに対応する前記アプリケーション関連付け情報を含み、
前記アプリケーション関連付け情報に基づいてアプリケーションを起動及び実行するに際しては、
表示された前記電子付箋のうち、ユーザが選択した特定の電子付箋に関して前記記憶装置を参照することにより、該特定の電子付箋の表示領域に表示される見出し情報に関連付けられた前記１つ以上のアプリケーションを選択可能に表示するよう前記表示装置を制御すると共に、表示された前記１つ以上のアプリケーションを示す選択肢のうち、ユーザが選択した所望の選択肢に対応する特定アプリケーションに関する前記アプリケーション関連付け情報に基づいて、該特定アプリケーションを起動及び実行する
ことを特徴とする電子付箋処理方法。
【請求項９】
前記付箋情報に基づいて前記電子付箋を一覧表示し、
一覧表示された前記電子付箋のうち選択された電子付箋に対応する前記付箋表示位置情報に基づいてアプリケーションを実行するステップをさらに備えることを特徴とする請求項８記載の電子付箋処理方法。
【請求項１０】
前記付箋情報は、２件以上の前記アプリケーション関連付け情報を含むことを特徴とする請求項８または９記載の電子付箋処理方法。
【請求項１１】
前記付箋情報は、２件以上の前記付箋表示位置情報を含むことを特徴とする請求項８乃至１０のいずれか記載の電子付箋処理方法。
【請求項１２】
前記アプリケーション関連付け情報を追加して記憶するステップをさらに備えることを特徴とする請求項８乃至１１のいずれか記載の電子付箋処理方法。
【請求項１３】
電子付箋の表示領域に表示される見出し情報と、前記電子付箋が表示される位置を示す付箋表示位置情報と、前記電子付箋に関連付けられたアプリケーションを起動するための情報であるアプリケーション関連付け情報とを含む付箋情報を記憶装置に記憶し、
前記見出し情報と前記付箋表示位置情報に基づいて前記電子付箋を表示装置に表示し、
前記アプリケーション関連付け情報に基づいてアプリケーションを起動及び実行可能であり、
前記付箋情報は、１つ以上のアプリケーションに関して、個々のアプリケーションに対応する前記アプリケーション関連付け情報を含み、
前記アプリケーション関連付け情報に基づいてアプリケーションを起動及び実行するに際しては、
表示された前記電子付箋のうち、ユーザが選択した特定の電子付箋に関して前記記憶装置を参照することにより、該特定の電子付箋の表示領域に表示される見出し情報に関連付けられた前記１つ以上のアプリケーションを選択可能に表示するよう前記表示装置を制御すると共に、表示された前記１つ以上のアプリケーションを示す選択肢のうち、ユーザが選択した所望の選択肢に対応する特定アプリケーションに関する前記アプリケーション関連付け情報に基づいて、該特定アプリケーションを起動及び実行する
ことを特徴とする電子付箋処理をコンピュータに実行させるプログラムを記録した記憶媒体。
【請求項１４】
前記付箋情報に基づいて前記電子付箋を一覧表示し、
一覧表示された前記電子付箋のうち選択された電子付箋に対応する前記付箋表示位置情報に基づいてアプリケーションを実行するステップをさらに備えることを特徴とする電子付箋処理をコンピュータに実行させる請求項１３記載のプログラムを記録した記憶媒体。
【請求項１５】
前記付箋情報は、２件以上の前記アプリケーション関連付け情報を含むことを特徴とする電子付箋処理をコンピュータに実行させる請求項１３または１４記載のプログラムを記録した記憶媒体。
【請求項１６】
前記付箋情報は、２件以上の前記付箋表示位置情報を含むことを特徴とする電子付箋処理をコンピュータに実行させる請求項１３乃至１５のいずれか記載のプログラムを記録した記憶媒体。
【請求項１７】
前記アプリケーション関連付け情報を追加して記憶するステップをさらに備えることを特徴とする電子付箋処理をコンピュータに実行させる請求項１３乃至１６のいずれか記載のプログラムを記録した記憶媒体。
【発明の詳細な説明】
【技術分野】
【０００１】  本発明は、電子付箋システム、情報処理端末、電子付箋処理方法、プログラムを記録した記憶媒体および電子付箋のデータ構造に関する。
【背景技術】
【０００２】  コンピュータのディスプレイ装置の表示領域に付箋紙を模した形状のメモ（以降「電子付箋」と称する）を表示するソフトウェアがある。これらは電子付箋システムや付箋紙ソフトウェア等と呼ばれており、利用者はテキストを電子付箋として保存したり、その内容を修正したり、削除したりすることができる。このような電子付箋システムの一例が特許文献１に記載されている。  また、電子付箋のデータを利用してアプリケーションを起動・実行するシステムの一例が特許文献２に記載されている。特許文献２の電子文書閲覧システムは、電子文書に貼付された電子付箋のテキスト一覧を表示し、一覧より選択された電子付箋が貼付されている箇所の電子文書の内容を表示する。このことにより、利用者は、電子付箋を電子文書に挟まれた「しおり」のように使用することができる。【特許文献１】特開平５−２５７６３３
【特許文献２】特開２００６−０３１６６６
【特許文献３】特開２００１−１３４４１５
【発明の開示】
【発明が解決しようとする課題】
【０００３】  上述した特許文献２に記載の電子文書閲覧システムにおいては、電子付箋のデータを利用して起動されるアプリケーションは、その電子付箋が貼付されている電子文書を表示するための電子文書閲覧アプリケーションに限られている。すなわち、電子付箋のデータを利用して起動されるアプリケーションは、他のアプリケーションに変更できない。例えば、辞書アプリケーションを起動して電子付箋のテキストで辞書を検索するようなことはできない。このため、このような電子付箋システムでは電子付箋のデータを他のアプリケーションで利用することができず、利便性が低いと言う問題があった。  本発明は、上述した課題を解決し、電子付箋データを任意のアプリケーションに関連付けて実行することを可能とする電子付箋システム、情報処理端末、電子付箋処理方法、プログラムを記録した記憶媒体および電子付箋のデータ構造を提供することを目的とする。
【課題を解決するための手段】
【０００４】  本発明に係る電子付箋システムは、電子付箋を表示する表示手段と、電子付箋の表示領域に表示される見出し情報と、電子付箋が表示される位置を示す付箋表示位置情報と、電子付箋に関連付けられるアプリケーションを起動するための情報であるアプリケーション関連付け情報とを含む付箋情報を記憶する記憶手段と、見出し情報と付箋表示位置情報に基づいて電子付箋を表示手段に表示し、また、アプリケーション関連付け情報に基づいてアプリケーションを実行する制御手段と、付箋情報を入力する入力手段とを備え、電子付箋に関連付けられるアプリケーションは、付箋表示位置情報が表すアプリケーション以外を含むことを特徴とする。  本発明に係る情報処理端末は、上記の電子付箋システムを備えることを特徴とする。  本発明に係る電子付箋処理方法は、電子付箋の表示領域に表示される見出し情報と、電子付箋が表示される位置を示す付箋表示位置情報と、電子付箋に関連付けられるアプリケーションを起動するための情報であるアプリケーション関連付け情報とを含む付箋情報を記憶し、見出し情報と付箋表示位置情報に基づいて電子付箋を表示し、アプリケーション関連付け情報に基づいてアプリケーションを実行するステップを備え、電子付箋に関連付けられるアプリケーションは、付箋表示位置情報が表すアプリケーション以外を含むことを特徴とする。  本発明に係るプログラムを記録した記憶媒体は、電子付箋の表示領域に表示される見出し情報と、電子付箋が表示される位置を示す付箋表示位置情報と、電子付箋に関連付けられるアプリケーションを起動するための情報であるアプリケーション関連付け情報とを含む付箋情報を記憶し、見出し情報と付箋表示位置情報に基づいて電子付箋を表示し、アプリケーション関連付け情報に基づいてアプリケーションを実行するステップを備え、電子付箋に関連付けられるアプリケーションは、付箋表示位置情報が表すアプリケーション以外を含むことを特徴とする電子付箋処理をコンピュータに実行させるプログラムを記録する。  本発明に係る電子付箋のデータ構造は、電子付箋の表示領域に表示される見出し情報と、電子付箋が表示される位置を示す付箋表示位置情報と、電子付箋に関連付けられるアプリケーションを起動するための情報であるアプリケーション関連付け情報とを含み、  電子付箋に関連付けられるアプリケーションは、付箋表示位置情報が表すアプリケーション以外を含むことを特徴とする。
【発明の効果】
【０００５】  本発明に係る電子付箋システム、情報処理端末、電子付箋処理方法、プログラムを記録した記憶媒体および電子付箋のデータ構造は、電子付箋データを任意のアプリケーションに関連付けて実行することを可能とする。
【図面の簡単な説明】
【０００６】
【図１】本発明の第１の実施形態に係る情報処理端末の機能構成を示すブロック構成図である。
【図２】第１の実施形態における電子付箋作成処理を説明するフローチャートである。
【図３】情報処理端末の表示部に表示されている映像を表す図である。
【図４】情報処理端末の表示部に表示されている映像を表す図である。
【図５】情報処理端末の表示部に表示されている映像を表す図である。
【図６】付箋情報テーブルに保存されているデータを表している図である。
【図７】情報処理端末の表示部に表示されている映像を表す図である。
【図８】情報処理端末の表示部に表示されている映像を表す図である。
【図９】情報処理端末の表示部に表示されている映像を表す図である。
【図１０】付箋情報テーブルに保存されているデータを表している図である。
【図１１】第１の実施形態における関連付けアプリケーション実行処理を説明するフローチャートである。
【図１２】情報処理端末の表示部に表示されている映像を表す図である。
【図１３】第２の実施形態におけるアプリケーション関連付け追加処理を説明するフローチャートである。
【図１４】情報処理端末の表示部に表示されている映像を表す図である。
【図１５】情報処理端末の表示部に表示されている映像を表す図である。
【図１６】情報処理端末の表示部に表示されている映像を表す図である。
【図１７】付箋情報テーブルに保存されているデータを表している図である。
【図１８】第２の実施形態における関連付けアプリケーション実行処理を説明するフローチャートである。
【図１９】情報処理端末の表示部に表示されている映像を表す図である。
【図２０】第３の実施形態における電子付箋一覧表示処理を説明するフローチャートである。
【図２１】情報処理端末の表示部に表示されている映像を表す図である。
【符号の説明】
【０００７】  １  情報処理端末１０  制御部１１  記憶部１１１  付箋情報テーブル１１１１  見出し１１１２  付箋表示位置１１１３  アプリケーション関連付け情報１２  表示部１２０１  メール発信元１２０２  メール件名１２０３  メール本文１２０４  付箋アイコン１２０５，１２０８  電子付箋１２０６  関連付けアプリケーション指定メニュー１２０７  アプリケーション一覧メニュー１２０９  乗換案内起動パラメータ入力ウインドウ１２１０  アプリケーションアイコン１２１１  地図検索起動パラメータ入力ウインドウ１２１２  起動ＡＰ選択メニュー１２１３  起動ＡＰ一覧メニュー１３  入力部
【発明を実施するための最良の形態】
【０００８】  次に、本発明の実施形態について図面を参照して説明する。  （第１の実施形態）  図１は、本発明の第１の実施形態に係る電子付箋システムを実装する情報処理端末１の機能構成を示すブロック構成図である。情報処理端末１は、パーソナルコンピュータ、携帯電話機、ＰＤＡ（Ｐｅｒｓｏｎａｌ  Ｄｉｇｉｔａｌ  Ａｓｓｉｓｔａｎｔ）、またはスマートフォン等であり、制御部１０と、記憶部１１と、表示部１２と、入力部１３とを含んで構成されている。  制御部１０は、ＣＰＵ（Ｃｅｎｔｒａｌ  Ｐｒｏｃｅｓｓｉｎｇ  Ｕｎｉｔ）や各種デバイス制御部等からなり、各種計算、プログラムの実行および情報処理端末１全般の制御処理を行う。  記憶部１１は、メモリデバイスや磁気ディスク装置等の情報記憶装置であり、付箋情報テーブル１１１を記憶する。また、その他に、制御部１０で実行されるオペレーティングシステムやアプリケーション等のプログラムや、それらを実行するための各種データ類も記憶する。  表示部１２は、液晶ディスプレイ等の表示装置であり、画像の表示を行う。例えば表示部１２は、電子付箋の画像や、付箋情報１１１を入力するためのメニュー等を表示する。  入力部１３は、キーボードやタッチパネル、マウス等の入力デバイスであり、テキスト等の文字情報と、Ｘ，Ｙ座標等の位置情報の入力機能を有する。  付箋情報テーブル１１１は、個々の電子付箋の状態を表す付箋情報を管理するテーブルである。なお、付箋情報は、例えばデータベースなど、テーブル以外の物によって管理されてもよい。付箋情報は、電子付箋の表示領域に表示される見出し１１１１と、電子付箋が貼付され表示されている位置を示す付箋表示位置１１１２と、電子付箋に関連付けられるアプリケーションを起動するための情報であるアプリケーション関連付け情報１１１３とを含む。制御部１０は、見出し１１１１と付箋表示位置１１１２に基づいて表示部１２に電子付箋を表示し、アプリケーション関連付け情報１１１３に基づいてアプリケーションを実行する。  上記の機能および処理は、ハードウェアによって実現されてもよいし、制御部１０に含まれるＣＰＵによって実行されるプログラムによって実現されてもよい。  このように、付箋情報は、電子付箋を表示するためのデータと、関連付けられるアプリケーションを起動するためのデータから構成されている。そして、そのそれぞれに基づいて、制御部１０は、電子付箋の表示と関連付けられたアプリケーションの実行を行う。このことにより、本発明の第１の実施形態に係る電子付箋システムは、電子付箋が貼付されている箇所に関わらず、電子付箋データに関連付けられた任意のアプリケーションを起動・実行することを可能とする。  次に、図２〜６を参照して、第１の実施形態に係る電子付箋システムにおける電子付箋作成処理の例を時系列に説明する。図２は、第１の実施形態における電子付箋作成処理を説明するフローチャートである。また、図３〜５は、情報処理端末１の表示部１２に表示されている映像を表している。また、図６は、付箋情報テーブル１１１に保存されているデータを表している。なお、以降の説明においては、入力部１３は、位置情報の入力用に表示部１２に重畳されたタッチパネルを備えているものとして説明する。  図３は、電子メールアプリケーションが起動され、情報処理端末１が受信したメールが表示されている状態を表している。表示部１２には、メール発信元１２０１と、メール件名１２０２と、メール本文１２０３が表示されている。表示部１２の下部には、付箋アイコン１２０４が表示されている。また、メール本文１２０３のテキストの一部「渋谷駅ハチ公口に１８：００」の部分は、該当部分に対してドラッグ操作（タッチパネルを押圧したまま押圧箇所を移動させる操作）が行われたことにより選択され、反転表示されている。  制御部１０は、入力部１３より電子付箋作成処理の開始が指示されることにより、この処理を開始する。この指示は、例えば付箋アイコン１２０４がタッチパネル上で押され、付箋を表示する位置へドラッグ操作を行うことによりなされてもよい。または、この指示は、単に付箋アイコン１２０４が押されることによりなされてもよい。  電子付箋作成処理の開始が指示されると、制御部１０は、付箋表示位置１１１２の入力を受け付ける（Ｓ２０１）。付箋表示位置１１１２は、利用者がタッチパネルの任意の位置を押すことにより入力されてもよい。また、電子付箋作成処理の開始の指示における、付箋アイコン１２０４のドラッグ操作の終了位置がそのまま入力されてもよい。付箋表示位置１１１２の入力が終了すると、制御部１０は、アプリケーション関連付け情報１１１３の入力を受け付ける（Ｓ２０２）。  図４は、アプリケーション関連付け情報１１１３の入力が受け付けられている状態を表している。付箋表示位置１１１２が示す位置には電子付箋１２０５が表示されている。ただし、電子付箋１２０５の見出しはまだ入力されていないため、空白である。また、電子付箋１２０５の近傍には関連付けアプリケーション指定メニュー１２０６が表示されている。そして、関連付けアプリケーション指定メニュー１２０６に隣接してアプリケーション一覧メニュー１２０７が表示されている。アプリケーション一覧メニュー１２０７は、電子付箋に関連付けて起動・実行することができるアプリケーションを一覧表示している。  アプリケーション一覧メニュー１２０７よりいずれかのアプリケーションが選択されると、選択されたアプリケーションがこの電子付箋に関連付けられるアプリケーションとして制御部１０に入力される。ここでは、アプリケーションを関連付けないことを示す「（なし）」が選択されたものとする。  アプリケーション関連付け情報１１１３の入力が終了すると、制御部１０は、見出し１１１１の入力を受け付ける（Ｓ２０３）。見出し１１１１は、メール本文１２０３のテキストの選択された部分「渋谷駅ハチ公口に１８：００」が自動で入力される。あるいは、メール発信元１２０１やメール件名１２０２の内容が自動で入力されてもよい。あるいは、見出し１１１１に入力されるテキストの一部または全部が手入力されてもよい。ここでは、テキスト「渋谷駅ハチ公口に１８：００」がそのまま入力されたものとする。  見出し１１１１の入力が終了すると、制御部１０は、入力された見出し１１１１，付箋表示位置１１１２，アプリケーション関連付け情報１１１３を付箋情報として付箋情報テーブル１１１に保存する���Ｓ２０４）。そして電子付箋作成処理を終了する。  電子付箋作成処理が終了すると、制御部１０は、作成・保存された付箋情報に基づいて電子付箋１２０５を再表示する。図５は、電子付箋１２０５が再表示された状態を表している。  図６は、図５の時点における付箋情報テーブル１１１の内容を表している。ＩＤの項目には、電子付箋１２０５に対応する連番として００１が採番されている。付箋表示位置の項目には、電子付箋１２０５が表示される位置を特定するための情報が設定されている。これは、貼付されているアプリケーションを示す「貼付ＡＰ」と、それ以外の部分からなる。「貼付ＡＰ」以外の部分のデータの内容は、アプリケーションに依存する。「貼付ＡＰ」が電子メールである電子付箋１２０５の場合、貼付されているメール文書を示す「メールＩＤ」と、そのメール文書の中で貼付されている位置を示す「座標」が設定されている。なお、「座標」は電子付箋１２０５の位置と大きさを表しており、その四隅の座標の値で表されている。また、アプリケーション関連付け情報の項目には、「起動ＡＰ」なしが設定され、関連付けられたアプリケーションがないことが示されている。または、アプリケーション関連付け情報の項目にデータを設定しないことにより、関連付けられたアプリケーションがないことが示されてもよい。  次に、図２，５，７〜１０を参照して、第１の実施形態に係る電子付箋システムにおける電子付箋作成処理の他の例を時系列に説明する。図７〜９は、情報処理端末１の表示部１２に表示されている映像を表している。また、図１０は、付箋情報テーブル１１１に保存されているデータを表している。  図７は、図５の状態から、新たに電子付箋作成処理の開始が指示された後の状態を表している。すなわち、まず、タッチパネルの任意の位置が押されたり、付箋アイコン１２０４が付箋を表示する位置へドラッグ操作されたりしたことにより、付箋表示位置１１１２が入力される（Ｓ２０１）。次に、新たな空白の電子付箋１２０８と、関連付けアプリケーション指定メニュー１２０６と、アプリケーション一覧メニュー１２０７が表示され、アプリケーション関連付け情報１１１３の入力が受け付けられている（Ｓ２０２）。  図８は、図７の状態から、アプリケーション一覧メニュー１２０７より「乗換案内」が選択され、その後、乗換案内起動パラメータ入力ウインドウ１２０９が表示された状態を表している。  乗換案内起動パラメータ入力ウインドウ１２０９は、乗換案内アプリケーションを実行する際のパラメータである、乗車駅，下車駅，日付指定，時間指定の入力欄と、入力の終了を示すＯＫボタンを備えている。ここで、制御部１０は、メール本文１２０３の選択された部分「渋谷駅ハチ公口に１８：００」のうち「渋谷駅」の部分を目的地の駅名であると判断し、「渋谷」を下車駅欄へ自動で設定している。また、「渋谷駅ハチ公口に１８：００」のうち「１８：００」の部分を到着時刻であると判断し、「１８：００」を時間指定欄へ自動で設定している。これらの自動設定は、メール本文１２０３の選択された部分ではなく全体に対して行われてもよい。また、これらの欄を含む全ての入力欄は手入力されてもよい。ここでは、下車駅欄には「渋谷���が、時間設定欄には「１８：００」が入力され、その他の入力欄には何も入力されていない状態で、ＯＫボタンが押されたものとする。  ＯＫボタンが押されることによりアプリケーション関連付け情報１１１３の入力が終了すると、制御部１０は、見出し１１１１の入力を受け付ける（Ｓ２０３）。見出し１１１１は、乗換案内起動パラメータ入力ウインドウ１２０９の入力内容「渋谷  １８：００」が自動で入力される。あるいは、見出し１１１１に入力されるテキストの一部または全部が手入力されてもよい。ここでは、テキスト「渋谷  １８：００」がそのまま入力されたものとする。なお、見出し１１１１はテキスト以外でもよい。例えば、電子付箋に関連付けられるアプリケーションが画像データを表示するアプリケーションである場合、見出し１１１１はその画像のサムネイル画像データでもよい。  見出し１１１１の入力が終了すると、制御部１０は、入力された見出し１１１１，付箋表示位置１１１２，アプリケーション関連付け情報１１１３を付箋情報として付箋情報テーブル１１１に保存する（Ｓ２０４）。そして電子付箋作成処理を終了する。  電子付箋作成処理が終了すると、制御部１０は、作成・保存された付箋情報に基づいて電子付箋１２０８を再表示する。図９は、電子付箋１２０８が再表示された状態を表している。ここで、電子付箋１２０８には、乗換案内アプリケーションに関連付けられていることを示すアプリケーションアイコン１２１０が表示されている。  図１０は、図９の時点における付箋情報テーブル１１１の内容を表している。ＩＤの項目には、電子付箋１２０８に対応する連番として００２が採番されている。アプリケーション関連付け情報の項目には、電子付箋に関連付けられるアプリケーションを起動するための情報が設定されている。「起動ＡＰ」には起動するアプリケーションとして乗換案内が設定されている。また、乗換案内アプリケーションに入力されるデータとして、「下車駅」には渋谷が，「時間指定」には１８：００到着が設定されている。  なお、上記の電子付箋作成処理では、電子付箋を新規に作成する際に関連付けるアプリケーションを選択したが、電子付箋の作成とアプリケーションの関連付けは別処理でもよい。この場合、例えば、電子付箋作成処理においてはアプリケーション関連付け情報の入力（Ｓ２０２）を行わない。そして、電子付箋作成処理が終了した後、作成された電子付箋に対してアプリケーション関連付け処理の開始を指定し、アプリケーション関連付け情報の入力（Ｓ２０２）を行う。  次に、図９〜１２を参照して、第１の実施形態に係る電子付箋システムにおける関連付けアプリケーション実行処理の例を説明する。図１１は、第１の実施形態における関連付けアプリケーション実行処理を説明するフローチャートである。また、図１２は、情報処理端末１の表示部１２に表示されている映像を表している。  図９の状態で、電子付箋１２０８に関連付けられたアプリケーションの実行が指示されると、制御部１０は、付箋情報テーブル１１１より電子付箋１２０８に対応する付箋情報、すなわちＩＤが００２である付箋情報を読み込む。この指示は、例えば、電子付箋１２０８がダブルタップ（タッチパネルの該当箇所をす���やく２回叩く操作）されることによりなされる。制御部１０は、読み込んだ付箋情報を参照し、電子付箋１２０８に関連付けられた「起動ＡＰ」が存在するかどうかを判断する（Ｓ１１０１）。  次に制御部１０は、「起動ＡＰ」には乗換案内が設定されているため、これに基づいて乗換案内アプリケーションを起動し（Ｓ１１０２）、関連付けアプリケーション実行処理を終了する。図１２は、乗換案内アプリケーションが起動され、検索条件の入力画面が表示された状態を表している。なお、乗換案内アプリケーションとは、電車等の公共交通機関の、目的地までの所要時間や必要運賃が最適となるような乗換経路を検索して利用者に提示するソフトウェアである。  図１２を参照すると、「下車駅」欄には渋谷、「時間指定」欄には１８：００の値が入力されている。これは、電子付箋１２０８に対応する付箋情報のアプリケーション関連付け情報、すなわち「下車駅」渋谷，「時間指定」１８：００到着が入力されたものである。  以上説明したように第１の実施形態に係る電子付箋システムは、電子付箋に関連付けて起動・実行することができるアプリケーションのうち、任意のアプリケーションに電子付箋データを関連付けて実行することができる。その理由は、個々の電子付箋ごとに、見出しや表示位置等の電子付箋を表示するためのデータとは別に、関連付けられたアプリケーションを起動するためのデータを設定・保存しているからである。  （第２の実施形態）  次に、本発明の第２の実施形態を説明する。  本発明の第１の実施形態において、電子付箋に関連付けられるアプリケーションの数は１つであった。しかし、本発明の第２の実施形態においては、複数のアプリケーションを関連付けることができる点が第１の実施形態と異なる。  本発明の第２の実施形態に係る電子付箋システムを実装する情報処理端末１の機能構成は図１と同様であるため、説明を省略する。  次に、図９，１０，１３〜１７を参照して第２の実施形態に係る電子付箋システムにおけるアプリケーション関連付け追加処理の例を時系列に説明する。図１３は、第２の実施形態におけるアプリケーション関連付け追加処理を説明するフローチャートである。また、図１４〜１６は、情報処理端末１の表示部１２に表示されている映像を表している。また、図１７は、付箋情報テーブル１１１に保存されているデータを表している。  アプリケーション関連付け追加処理の開始前の時点において、表示部１２は図９の状態であるとする。また、その時点において、付箋情報テーブル１１１は図１０の状態であるとする。  制御部１０は、入力部１３よりアプリケーション関連付け追加処理の開始が指示されることにより、この処理を開始する。この指示は、例えば付箋アイコン１２０４がタッチパネル上で押され、アプリケーション関連付けを追加する電子付箋の位置へドラッグ操作を行うことによりなされてもよい。ここでは付箋アイコン１２０４が電子付箋１２０８の位置へドラッグ操作され、電子付箋１２０８へのアプリケーション関連付けの追加が指示されたものとする。  アプリケーション関連付け追加処理の開始が指示されると、制御部１０は、アプリケーション関連付け１１１３の追加入力を受け付ける（Ｓ１３０１）。  図���４は、アプリケーション関連付け情報１１１３の追加入力が受け付けられている状態を表している。電子付箋１２０８の近傍には関連付けアプリケーション指定メニュー１２０６が表示されている。そして、関連付けアプリケーション指定メニュー１２０６に隣接してアプリケーション一覧メニュー１２０７が表示されている。アプリケーション一覧メニュー１２０７は、電子付箋に関連付けて起動・実行することができるアプリケーションを一覧表示しており、そのうち既に関連付けられている「乗換案内」を反転表示している。  図１５は、図１４の状態から、アプリケーション一覧メニュー１２０７より「地図検索」が選択され、地図検索起動パラメータ入力ウインドウ１２１１が表示された状態を表している。  地図検索起動パラメータ入力ウインドウ１２１１は、地図検索アプリケーションを実行する際のパラメータである、検索のキーワードの入力欄と、入力の終了を示すＯＫボタンを備えている。ここで、制御部１０は、メール本文１２０３の選択された部分「渋谷駅ハチ公口に１８：００」のうち「渋谷駅」「ハチ公口」の部分を地名であると判断し、テキスト「渋谷駅ハチ公口」をキーワード欄へ自動で設定している。これらの自動設定は、メール本文１２０３の選択された部分ではなく全体に対して行われてもよい。あるいは、電子付箋１２０８の付箋情報データに対して行われてもよい。また、この入力欄は手入力されてもよい。ここでは、テキスト「渋谷駅ハチ公口」がそのまま入力され、ＯＫボタンが押されたものとする。  アプリケーション関連付け情報１１１３の追加入力が終了すると、制御部１０は、付箋情報テーブル１１１上の電子付箋１２０８に対応する付箋情報を、追加入力されたアプリケーション関連付け情報１１１３を追加して更新する（Ｓ１３０２）。そしてアプリケーション関連付け追加処理を終了する。  アプリケーション関連付け追加処理が終了すると、制御部１０は、更新された付箋情報に基づいて電子付箋１２０８を再表示する。図１６は、電子付箋１２０８が再表示された状態を表している。ここで、電子付箋１２０８のアプリケーションアイコン１２１０には、複数のアプリケーションが関連付けられていることを示す「＋」がその右下に表示されていてもよい。  図１７は、図１６の時点における付箋情報テーブル１１１の内容を表している。電子付箋１２０８に対応する、ＩＤが００２である付箋情報には、「起動ＡＰ」が地図検索であるアプリケーション関連付け情報が追加されている。  なお、上記のアプリケーション関連付け追加処理では、既にアプリケーションが関連付けられている電子付箋に対して関連付けを追加したが、アプリケーションが関連付けられていない電子付箋に対して追加してもよい。また、第１の実施形態のように、電子付箋を新規に作成する際に複数のアプリケーションを関連付けてもよい。  次に、図１６〜１９を参照して、第２の実施形態に係る電子付箋システムにおける関連付けアプリケーション実行処理の例を説明する。図１８は、第２の実施形態における関連付けアプリケーション実行処理を説明するフローチャートである。また、図１９は、情報処理端末１の表示部１２に表示されている映像を表している。  図１６の状態で、電子付箋１２０８に関連付けられたアプリケーションの実行が指示されると、制御部１０は、付箋情報テーブル１１１より電子付箋１２０８に対応する付箋情報、すなわちＩＤが００２である付箋情報を読み込む。制御部１０は、読み込んだ付箋情報を参照し、電子付箋１２０８に関連付けられた「起動ＡＰ」が存在するかどうかを判断する（Ｓ１８０１）。  電子付箋１２０８には「起動ＡＰ」が存在しているため、次に制御部１０は、複数の「起動ＡＰ」が存在しているかどうかを判断する（Ｓ１８０２）。電子付箋１２０８には乗換案内と地図検索の２つの「起動ＡＰ」が存在しているため、次に制御部１０は、「起動ＡＰ」の選択を受け付ける（Ｓ１８０３）。なお、「起動ＡＰ」が１つしか存在しない場合は、第１の実施形態に係る電子付箋システムにおける関連付けアプリケーション実行処理と同様に、即座に関連付けられたアプリケーションが起動される。  図１９は、「起動ＡＰ」の選択が受け付けられている状態を表している。電子付箋１２０８の近傍には起動ＡＰ選択メニュー１２１２が表示されている。そして、起動ＡＰ選択メニュー１２１２に隣接して起動ＡＰ一覧メニュー１２１３が表示されている。起動ＡＰ一覧メニュー１２１３は、電子付箋１２０８に対応する付箋情報に基づいて、電子付箋１２０８に関連付けられたアプリケーションである乗換案内と地図検索を一覧表示している。  起動ＡＰ一覧メニュー１２１３よりいずれかのアプリケーションが選択されると、制御部１０は、選択されたアプリケーションを起動し（Ｓ１８０４）、関連付けアプリケーション実行処理を終了する。その際、第１の実施形態に係る電子付箋システムにおける関連付けアプリケーション実行処理と同様に、電子付箋１２０８に対応する付箋情報のアプリケーション関連付け情報が起動されたアプリケーションで使用される。  なお、上記の関連付けアプリケーション実行処理では、複数の「起動ＡＰ」が存在している場合はメニューより「起動ＡＰ」の選択を行ったが、選択を行う代わりに、前回選択した「起動ＡＰ」を起動するようにしてもよい。または、複数の「起動ＡＰ」に優先順位を設定し、優先順位の高い「起動ＡＰ」を起動するようにしてもよい。  以上説明したように第２の実施形態に係る電子付箋システムは、電子付箋に複数のアプリケーションを関連付けて実行することができる。その理由は、個々の電子付箋ごとに、関連付けられたアプリケーションを起動するためのデータを複数個、設定・保存できるからである。  （第３の実施形態）  次に、本発明の第３の実施形態を説明する。  本発明の第３の実施形態に係る電子付箋システムは、第１の実施形態に係る電子付箋システムが備える機能に加え、電子付箋が貼付された場所に関係なく、電子付箋を一覧表示する機能を提供する。  本発明の第３の実施形態に係る電子付箋システムを実装する情報処理端末１の機能構成は図１と同様であるため、説明を省略する。  次に、図９，１０，１２，２０，２１を参照して、第３の実施形態に係る電子付箋システムにおける電子付箋一覧表示処理の例を説明する。図２０は、第３の実施形態における電子付箋一覧表示処理を説明するフローチャートである。また、図２１は、情報処理端末１の表示���１２に表示されている映像を表している。  制御部１０は、電子付箋一覧表示処理の開始が指示されることにより、この処理を開始する。この指示は、例えば電子付箋一覧を表すアイコン（図示せず）がタッチパネル上で押されることによりなされてもよい。または、この指示は、第３の実施形態に係る情報処理端末の電源が投入されたあと、自動的になされてもよい。  電子付箋一覧表示処理の開始が指示されると、制御部１０は、付箋情報テーブル１１１より全ての電子付箋の付箋情報を読み込み、表示部１２に電子付箋を一覧表示する（Ｓ２００１）。なお、電子付箋一覧表示処理の開始が指示された時点の付箋情報テーブル１１１は、図１０の状態であるとする。  図２１は、電子付箋一覧表示処理が開始し、付箋情報テーブル１１１に存在する電子付箋が全て表示された状態を示している。図２１の時点においては、制御部１０は電子付箋に対する操作を待ち受けている（Ｓ２００２）。  次に、図２１の状態から、電子付箋を「開く」操作が行われた場合の処理を説明する。なお、電子付箋を「開く」操作とは、例えば、対象の電子付箋をダブルタップすることなどにより、対象の電子付箋に対する処理を指示する操作を指す。  電子付箋１２０８を「開く」操作が行われると、制御部１０は、電子付箋１２０８に関連付けられた「起動ＡＰ」が存在するかどうかを判断する（Ｓ２００３）。電子付箋１２０８には「起動ＡＰ」として乗換案内が設定されているため、次に制御部１０はアプリケーション関連付け情報１１１３に基づいて乗換案内アプリケーションを起動する（Ｓ２００４）。図１２は、乗換案内アプリケーションが起動され、検索条件の入力画面が表示された状態を表している。  次に、図２１の状態（Ｓ２００２）から、電子付箋１２０５を「開く」操作が行われた場合の処理を説明する。  電子付箋１２０５を「開く」操作が行われると、制御部１０は、電子付箋１２０５に関連付けられた「起動ＡＰ」が存在するかどうかを判断する（Ｓ２００３）。電子付箋１２０５には「起動ＡＰ」なしが設定されているため、次に制御部１０は付箋表示位置１１１２に基づいてアプリケーションを起動する（Ｓ２００５）。すなわち、「貼付ＡＰ」に基づいて電子メールアプリケーションを起動し、「メールＩＤ」に基づいて電子付箋１２０５が貼付されているメール文書を表示する。図９は、電子メールアプリケーションが起動され、付箋表示位置１１１２が示すメール文書と、そのメール文書に貼付された電子付箋が表示された状態を表している。  なお、上記の電子付箋一覧表示処理では、開いた電子付箋に関連付けられた起動ＡＰが存在しない場合のみ付箋表示位置１１１２に基づいてアプリケーションを起動したが、そうでなくともよい。例えば、トリプルタップ（タッチパネルの該当箇所をすばやく３回叩く操作）などの特定の操作を行うことにより、起動ＡＰの有無に関わらず付箋表示位置１１１２に基づいてアプリケーションを起動してもよい。  以上説明したように第３の実施形態に係る電子付箋システムは、電子付箋が貼付された場所に関係なく、電子付箋を一覧表示することができる。その理由は、付箋表示位置１１１２に関係なく、付箋情報テーブル１１１より電子付箋を一覧表示する���らである。このことにより、第３の実施形態に係る電子付箋システムは、電子付箋が貼付されたアプリケーションを起動することなく、電子付箋を参照したり、関連付けられたアプリケーションを実行したりすることができる。  また、第３の実施形態に係る電子付箋システムは、電子付箋が貼付された箇所を指定することなしに、その電子付箋が貼付されたアプリケーションを起動してその電子付箋が貼付された箇所を表示することができる。その理由は、一覧表示された電子付箋を「開く」ことにより、付箋表示位置１１１２に基づいてアプリケーションを起動し、その電子付箋が貼付された箇所を表示するからである。このことにより、第３の実施形態に係る電子付箋システムは、電子付箋が貼付された位置を意識することなく、電子付箋を「しおり」のように使用することができる。  上記の各実施形態のとおり、位置情報の入力用にタッチパネルを備える情報処理端末を例に本発明の実施形態が説明された。しかしながら、本発明の実施形態に係る電子付箋システムを実装する情報処理端末は、マウスやトラックボール、カーソルキーなどの他の位置情報の入力装置を備えていてもよい。  本発明の第１乃至第３の実施形態に係る電子付箋システムは、電子付箋の移動・複製機能を有していてもよい。例えば、あるアプリケーション画面に貼付された電子付箋は、他のアプリケーション画面に移動してもよい。あるいは、他のアプリケーション画面に複製して貼付されてもよい。  本発明の第１乃至第３の実施形態に係る電子付箋システムにおいて電子付箋が複製される場合、複製された電子付箋の付箋情報は、複製元の付箋情報のデータを複製して新規作成されてもよい。この場合、複製された後に、見出しやアプリケーション関連付け情報を変更することができるため、類似した電子付箋を新規に作成したい時に便利である。  あるいは、電子付箋が複製される場合、付箋情報のレコードの付箋表示位置の項目を複数個設定することで複製を行ってもよい。この場合、見出しやアプリケーション関連付け情報は、複製元と複製先の全ての電子付箋で共用される。そのため、複数の電子付箋の内容が一元管理されるため、便利である。  以上、実施形態を参照して本願発明を説明したが、本願発明は上記実施形態に限定されるものではない。本願発明の構成や詳細には、本願発明のスコープ内で当業者が理解し得る様々な変更をすることができる。  この出願は、２００８年７月２５日に出願された日本特許出願特願２００８−１９１８８９を基礎とする優先権を主張し、その開示の全てを盛り込む。
【図１】
0005549588.tif 000002
【図２】
0005549588.tif 000003
【図３】
0005549588.tif 000004
【図４】
0005549588.tif 000005
【図５】
0005549588.tif 000006
【図６】
0005549588.tif 000007
【図７】
0005549588.tif 000008
【図８】
0005549588.tif 000009
【図９】
0005549588.tif 000010
【図１０】
0005549588.tif 000011
【図１１】
0005549588.tif 000012
【図１２】
0005549588.tif 000013
【図１３】
0005549588.tif 000014
【図１４】
0005549588.tif 000015
【図１５】
0005549588.tif 000016
【図１６】
0005549588.tif 000017
【図１７】
0005549588.tif 000018
【図１８】
0005549588.tif 000019
【図１９】
0005549588.tif 000020
【図２０】
0005549588.tif 000021
【図２１】
0005549588.tif 000022